(57)【要約】【課題】複写機能を有する画像形成装置にて、画像形成装置によって取得された原稿サイズを、ユーザが容易に認識できるようにする。【解決手段】載置板２の一の頂点から、載置板２の原稿載置面とは逆の面から光を照射する光源５（５Ｘ１、５Ｘ２、・・・５Ｘ８、及び５Ｙ１、５Ｙ２、５Ｙ３、５Ｙ４）を設ける。これらの光源５を個別に点灯させることで、取得された原稿サイズの輪郭のうち、少なくとも主走査方向と副走査方向における幅を【選択図】図４
2008160605.tif 000002
【特許請求の範囲】
【請求項１】
載置板上の原稿の画像を記録媒体上に印刷出力する画像形成装置であって、
光透過性を有し、一方の面に原稿を載置可能な載置板と、
上記載置板上に載置された原稿のサイズを検知する原稿サイズ検知部と、
上記載置板を通り上記一方の面から出射する光を発する光源を備え、上記光源からの光によって、上記一方の面上に上記原稿サイズ検知部によって検知されたサイズの少なくとも輪郭を表示する検知サイズ表示部と、
を備える画像形成装置。
【請求項２】
上記検知サイズ表示部は、上記載置板上の原稿とサイズが最も近い記録媒体のサイズを、上記原稿のサイズとして表示するようになっている請求項１に記載の画像形成装置。
【請求項３】
検知された上記サイズの輪郭は矩形状であり、
上記検知サイズ表示部は、上記サイズの輪郭のうち、少なくとも直交する二辺の長さを表示するようになっている請求項１又は２に記載の画像形成装置。
【請求項４】
上記光源は、上記載置板の輪郭に沿って配置される請求項１〜３の何れか１項に記載の画像形成装置
【発明の詳細な説明】
【技術分野】
【０００１】
本発明は、原稿上の画像を読み取る読取装置、及びそれを備える画像形成装置に関する。
【背景技術】
【０００２】
従来、原稿上の画像を読み取る読取装置を備え、この読取装置によって読み取られた画像情報に基づいて用紙上に画像を形成する種々の画像形成装置が提案されている。読取装置では一般的に、透明の載置板の載置面に載せられた原稿を、載置板の逆の面から照明し、原稿からの反射光を検知することで原稿上の画像を読み取るようになっている。
【特許文献１】特開２００３−１６７４８２号公報（２００３年６月１３日公開）
【発明の開示】
【発明が解決しようとする課題】
【０００３】
画像形成装置の中には、原稿サイズを検知する機構を有しており、この検知した原稿サイズに基づいて、画像の読み取り、用紙選択等を行うことができるものがある。
【０００４】
しかし、載置板上における原稿が載置される位置が適切でない等の理由によって、検知された原稿サイズと実際の原稿サイズとが合わない等の問題が起きることがある。そして、従来の画像形成装置では、検知された原稿サイズを正確に認識することはユーザにとって困難であった。
【０００５】
そこで、本発明は、ユーザに検知された原稿サイズを正確にかつ容易に認識することのできる画像形成装置を提供することを目的とする。
【課題を解決するための手段】
【０００６】
上記課題を解決するために、請求項１の画像形成装置は、載置板上の原稿の画像を記録媒体上に印刷出力する画像形成装置であって、光透過性を有し、一方の面に原稿を載置可能な載置板と、上記載置板上に載置された原稿のサイズを検知する原稿サイズ検知部と、上記載置板を通り上記一方の面から出射する光を発する光源を備え、上記光源からの光によって、上記一方の面上に上記原稿サイズ検知部によって検知されたサイズの輪郭を表示する検知サイズ表示部と、を備える。
【０００７】
上記画像形成装置では、検知サイズ表示部によって、載置板の原稿が載置される面に検知されたサイズの輪郭が表示される。そのため、ユーザは、検知されたサイズを容易に認識することができる。
【０００８】
また、請求項２に記載するように、請求項１の画像形成装置において、上記検知サイズ表示部は、上記載置板上の原稿とサイズが最も近い記録媒体のサイズを、上記原稿のサイズとして表示するようになっていてもよい。
【０００９】
また、請求項３に記載するように、請求項１又は２の画像形成装置において、検知された上記サイズの輪郭は矩形状であり、上記検知サイズ表示部は、上記サイズの輪郭のうち、少なくとも直交する二辺の長さを表示するようになっていてもよい。
【００１０】
このように、上記サイズの輪郭である矩形状のうち少なくとも直交する二辺の長さが表示されれば、ユーザは上記サイズの輪郭を認識することができる。
【００１１】
また、請求項４に記載するように、請求項１〜３の何れか１項に記載の画像形成装置において、上記光源は、上記載置板の輪郭に沿って配置されていてもよい。
【発明の効果】
【００１２】
本発明の画像形成装置では、検知サイズ表示部によって、載置板の原稿が載置される面に検知されたサイズの輪郭が表示される。そのため、ユーザは、検知されたサイズを容易に認識することができる。
【発明を実施するための最良の形態】
【００１３】
以下、本発明の画像形成装置の実施の形態を示して、本発明についてより具体的に説明する。なお、以下では、画像形成装置が画像を形成する記録媒体を紙とするが、本発明はこれらに限定されるものではなく、フィルム等に適宜変更可能である。
【００１４】
〔１〕複写機１全体の構成
本発明の画像形成装置の実施の一形態である複写機１について、図１に基づいて説明する。図１は、複写機１の要部構成を示す図面である。
【００１５】
図１に示すように、複写機１は、筐体１Ｃ、原稿Ｍを載置するための載置板２、原稿上の画像を読み取って画像情報を得る読取部３、読取部３が読み取った画像情報に基づいて画像を形成し、それを用紙上に出力する画像形成部４、及び、光源５等を備えて上記載置板２上における出力領域を表示する出力領域表示部５０等を備える。具体的には、複写機１はさらに、開閉可能で、閉じた状態では載置台２の載置面を覆うようになっているカバー２１、筐体１Ｃの外側面に設けられ読取部４によって画像が形成された用紙が排出される排出トレイ２２、カバー２１が開けられたことを検知するカバー開センサ６等を備える。
【００１６】
載置板２は、光透過性を有する素材、例えばガラス、樹脂等の従来公知の素材からなる略矩形の部材である。載置板２は、筐体１Ｃの内部から外部に光を透過可能であると共に、その載置面、すなわち筐体１Ｃ外部側を向く面が、複写機１の設置姿勢において上側を向くようになっている。
【００１７】
読取部３は、載置板２の載置面とは逆側（載置板２の裏面側）から原稿を照明する照明ユニット３１、この照明光の原稿Ｍからの反射光を下記ＣＣＤ３４に導くミラーユニット３２及び集光部３３、光を電気信号に変換する光電変換素子の一例であるＣＣＤ３４等を備える。読取部３及びその周辺の構成については、図２・図３を参照して後述する。
【００１８】
画像形成部４は、互いにサイズの異なる用紙を収容可能な用紙収容部４１、用紙収容部４１内の用紙を取り出し、下記現像部４３、定着部４４に順に搬送し、最後に排出トレイ２２に排出する搬送部４２、読取部３の読み取った画像情報に基づいて画像を現像し、用紙上に転写する現像部４３、用紙上に画像を定着させる定着部４４等を備える。現像部４３は、本実施形態では電子写真方式により画像を現像する構成とする。
【００１９】
サイズ表示部５０は、光源５からの光によって、ユーザにサイズを認識させることができる。光源５は、載置板２の裏面に向けて光を出射する。この光は載置板２を通過するので、ユーザはこの光を載置板２の載置面側から確認することができる。
【００２０】
〔２〕読取部３の構成
読取部３及びその周辺の構成について、図２・図３を参照して説明する。図２・図３は複写機１における読取部３の構成を示す図面であり、図２は正面図、図３は載置板２側から見た平面図である。
【００２１】
図２に示すように、照明ユニット３１は、載置板２の短手方向に平行な方向（主走査方向）に延びる光源３１ａ、ミラー３１ｂ、並びに光源３１ａ及びミラー３１ｂを支持する支持台３１ｃを備える。光源３１ａは載置板２の裏面側へ光を出射し、ミラー３１ｂはこの光が原稿Ｍに反射された反射光をミラーユニット３２へ導く。光源３１ａから出射された光の進行方向を図１・図２中に一点鎖線で示す。副走査方向における走査は、後述の照明・ミラー移動機構が、照明ユニット３１及びミラーユニット３２が副走査方向に移動させることで実現される。
【００２２】
ミラーユニット３２は、ミラー３２ａ・３２ｂ、及びミラー３２ａ・３２ｂを支持する支持台５ｃを備える。照明ユニット３１のミラー３１ｂからの反射光は、ミラー５ａ、５ｂによって集光部３３に導かれる。
【００２３】
集光部３３は、レンズ等の光学部材を備え、ミラーユニット３２からの光をＣＣＤ７の光感知面に集光する。
【００２４】
ＣＣＤ３４は、光電変換素子であり、その光感知面上に入射した光を電気信号に変換する。複写機１はこの他に、ＣＣＤ３４からのアナログデータについて、ゲイン調整、デジタルデータへの変換等の処理を行うＡＦＥ（アナログフロントエンド）等の処理装置を備えてもよい（図示せず）。
【００２５】
光源ユニット３１及びミラーユニット３２を副走査方向に移動させるため、読取部３には、レール２３、駆動軸２４、支軸２５、プーリ２６ａ、２６ｂ、タイミングベルト２７ａ、２７ｂ等を備える照明・ミラー移動機構が設けられる。
【００２６】
図２に示すように、レール２３は、載置板２の長手方向に平行な方向（副走査方向）に延びる２本一対の部材である。駆動軸２４及び支軸２５はレール２３に直交する方向に延びる形状である。駆動軸２４は、読取部３が備えるモータ（図示せず）により、正転、逆転が可能となっている。駆動軸２４は、その両端がそれぞれプーリ２６ａの軸穴を貫通するように設けられている。プーリ２６ａは大径部と、大径部よりも径の小さい小径部とを備える。また、支軸２５は、その両端がそれぞれプーリ２６ｂの軸穴を貫通するように設けられている。プーリ２６ｂはプーリ２６ａと同形である。プーリ２６ａ・２６ｂはレール２３よりも外側に設けられている。プーリ２６ａ・２６ｂの大径部には、タイミングベルト２７ａが掛け渡されており、同様に、プーリ２６ａ・２６ｂの小径部には、タイミングベルト２７ｂが掛け渡されている。２本のタイミングベルト２７ａのうち、一方には支持台３１ｃの一端が、他方には支持台３１ｃの他端が固定されている。また、２本あるタイミングベルト２７ｂのうち一方には支持台３２ｃの一端が、他方には支持台３２ｃの他端が固定されている。このように固定されることで、支持台４及び支持台３２ｃは、その長手方向がレール２３の長手方向に直交するように、一対のレール２３間に掛け渡されている。
【００２７】
上述のモータ（図示せず）により駆動されることで駆動軸２４が回転すると、この回転に伴ってプーリ２６ａも回転する。このプーリ２６ａの回転によりタイミングベルト２７ａ、２７ｂが回動する。支軸２５及びプーリ２６ｂはタイミングベルト２７ａ、２７ｂの回動を補助する。タイミングベルト２７ａ及び２７ｂの回動により、支持台３１ｃ及び支持台３２ｃが、すなわち照明ユニット３１及びミラーユニット３２が副走査方向に移動する。プーリ２６ａ及びプーリ２６ｂの大径部と小径部との径の大きさの比により、照明ユニット３１とミラーユニット３２との移動速度の比は適宜設定される。
【００２８】
なお、副走査方向における走査を実現させるための機構としては、以上に述べた照明・ミラー移動機構に限定されるものではなく、他の機構を採用してもよい。
【００２９】
〔３〕光源５
以下、図２〜図５を参照して、光源５の配置について説明する。図４及び図５は、光源５の配置の具体例を示す平面図である。
【００３０】
図２に示すように、光源５は、筐体１Ｃ内部に設けられ、筐体１Ｃ内部から載置板２を通って外部に至る光（図１中に進行方向を点線で示す）を発するようになっている。言い換えると、光源５から発せられた光は、載置板２の裏面から載置面に向かう方向に進行し、載置面から筐体１Ｃ外へと進行する。明瞭な表示を実現するために、光源５はレーザ光を発する光源であることが好ましいが、これに限らず、他の光源を用いることもできる。
【００３１】
光源５は具体的には、照明ユニット３１の光源３１ａから出射された光がＣＣＤ３４に至るまでの光路から外れた位置に設けられる。また、本実施形態では特に、照明・ミラー移動機構により照明ユニット３１及びミラーユニット３２が移動するので、光源５はこの移動を妨げないように、照明ユニット３１及びミラーユニット３２が移動する範囲から外れた位置に設けられる。このような位置の例として、本実施形態では、図１に示すように、光源５は、照明ユニット３１及びミラーユニット３２よりも下、つまり照明ユニット３１及びミラーユニット３２よりも載置板２から離れた位置に設けられている（図２）。
【００３２】
光源５は、例えば図３に示すように、載置板２の輪郭に沿って複数配置され得る。具体的には、載置板２の輪郭は、長い方の辺が副走査方向に、短い方の辺が主走査方向に平行な長方形であり、複数の光源５（５Ｘ、５Ｙ）は、この矩形の辺のうち、一の頂点（図３中では左上の頂点）にて直交する二辺に沿ってそれぞれ設けられる。すなわち、複数の光源５が、図３中に示す一点鎖線に沿って設けられる。本明細書中、この二辺のうち副走査方向に平行な辺に沿って設けられる光源５は符号中にＸを、主走査方向に平行な辺に沿って設けられる光源５は符号中にＹを付して表すことがある。
【００３３】
光源５が複数設けられる場合、原稿サイズ表示部５０中の光源５の駆動部（図示せず）は、複数の光源５を個別に駆動することができるように構成される。
【００３４】
より具体的には、光源５は図４に示すように配置される。
【００３５】
図４に示す配置例では、光源５は、副走査方向及び主走査方向に沿って、上述の原稿合わせ位置から、定形用紙サイズの一辺の長さ分の間隔をおいて設けられる。図４では、副走査方向に沿って配される光源５を、原稿合わせ位置に近いものから順に、５Ｘ１、５Ｘ２、・・・５Ｘ８と表示し、主走査方向に沿って配される光源５を、同じく原稿合わせ位置に近いものから順に、５Ｙ１、５Ｙ２、５Ｙ３、５Ｙ４と表示する。このように光源５が設けられると、原稿サイズ表示部５０は、駆動部によって副走査方向及び主走査方向に配された光源５を一つずつ点灯させることで、定形用紙サイズを表示することができる。例えば、原稿サイズ表示部５０は、光源５Ｘ１及び５Ｙ１を点灯させることで、原稿合わせ位置と光源５Ｘ１からの光とによりＢ６サイズの矩形状のうち一辺の両端を、さらに原稿合わせ位置と５Ｙ１とによって、Ｂ６サイズの矩形状のうち、上記一辺に直交する辺の両端をユーザに示すことができる。このように、互いに直交する二辺の両端を示すことで、原稿サイズ表示部５０は、点線で示す定型用紙の仮想の形状すなわちＢ６サイズを、ユーザに認識させることができる。
【００３６】
さらに、上記一の頂点に、光源５０を設けてもよい。光源５０は、サイズを表示するときには常に点灯されるようになっている。これによって、定形用紙サイズの直交する二辺の両端が表示されるので、ユーザは表示されたサイズをより明確に認識することができる。但し、光源５０は必須ではなく、例えば、図４に白矢じりで示すように、上記一の頂点を指し示すような印を筐体１Ｃに付すことで、上記一の頂点をユーザに認識させることもできる。以下、この頂点を「原稿合わせ位置」と称することがある。
【００３７】
また、定形用紙サイズのさらに２つの辺の両端を示すように、図４に示す点線が直交する位置に光源をさらに配することもできる。このときの光源５の配置位置を、図４中に斜線を付した丸で示す。また、図４中の点線に沿って、光源５をさらに配することもできる。また、点線で示す定形サイズの輪郭だけでなく、輪郭に加えて定形サイズに当たる領域の全体を光らせて表示するように、光源５をさらに多数配してもよい。
【００３８】
但し、ユーザに原稿サイズを認識させるには定形サイズの輪郭を示すだけで充分である。また、図４に示すように光源５は載置板２の輪郭に沿って配される方が、載置板２の輪郭内部にまで配されるよりも配線等を簡素化できるので、好ましい。
【００３９】
〔４〕原稿サイズ表示を含む複写動作
以下、図５〜図８を参照して、複写機１の複写動作について、原稿サイズ表示動作を中心に説明する。図５は、複写機１において複写及び原稿サイズ表示に関する部材を示す機能ブロック図であり、図６は、原稿サイズ表示動作を含む複写動作のフローを示すフローチャートである。また、図７及び図８は、同一の原稿Ｍについての原稿サイズ表示の例を示す平面図である。
【００４０】
なお、以下の実施形態においては、光源５は図４に示すように配置されているものとする。また、以下の複写動作では、複写機１は複写用の用紙を自動的に選択して複写を行うが、複写機１はこのような複写動作以外に、ユーザが用紙又は印刷倍率を選択することができるようなモードによる複写をさらに実行できるようになっていてもよい。
【００４１】
複写機１は、図５に示すように、上記〔１〕〜〔３〕欄で述べた構成に加えて、載置板２上に載せられた原稿Ｍを検知する原稿センサ７、ユーザからの入力を受け付けるキーを備える入力受付部８１、複写機１内の各部の動作を制御する制御系１０、及びユーザに種々の情報を提示する液晶表示装置８２を備える。
【００４２】
原稿センサ７は、載置板２上の原稿Ｍを検知するものである。原稿センサ７としては、原稿サイズを検知するために従来用いられるセンサを好適に利用することができる。本実施形態では、原稿センサ７は、主走査方向及び副走査方向において、原稿合わせ位置から原稿の端までの距離を検出することができるようになっているものとする。
【００４３】
制御系１０は、入力受付部８１等を介してユーザから受け付けた指示に応じて、複写機１の各部との間でデータ信号及び制御信号の送受信を行い、画像処理等の動作を統括的に制御するものである。具体的には、制御系１０は、ＣＰＵ（Central Processing Unit）、ＲＯＭ（Read Only Memory）、及びＲＡＭ（Random Access Memory）等によって構成可能である。ＣＰＵは種々の演算を行い、プログラムを実行することがきる。ＲＯＭにはＣＰＵによって行われる制御に関するプログラムや、複写機１内の各部の動作に関するプログラム等が格納されている。また、ＲＡＭは、ＣＰＵの作業領域として機能する他、ユーザの入力内容等を保持する領域等を有している。制御系１０は特に、原稿センサ７からの原稿サイズ取得部１１、原稿サイズ表示制御部１２、液晶表示制御部１３、及び画像形成制御部１４等を備える（図５）。
【００４４】
原稿Ｍが載置板２上に載置されると、原稿センサ７が原稿を検知する。原稿サイズ取得部１１は原稿センサ７の出力値を読み込み、副走査方向における長さ及び主走査方向における長さに基づいて、原稿Ｍに最も近い定形用紙サイズを原稿Ｍのサイズとする（図６：Ｓ１→Ｓ２）。詳細には、原稿サイズ取得部１１は、原稿Ｍのサイズとして、検知された原稿Ｍのサイズ以上であって、かつ検知された原稿Ｍサイズに最も近い定形用紙サイズを選択する。つまり、原稿Ｍが定形外の形状であっても、原稿センサ７及び原稿サイズ取得部１１によって、原稿Ｍに近い定形用紙サイズが、原稿Ｍのサイズとして取得される。
【００４５】
こうして取得された原稿サイズ情報は、液晶表示制御部１３及び画像形成制御部１４に送られる。液晶表示制御部１３は、取得された原稿サイズ情報を液晶表示装置８２に表示させる（Ｓ３）。
【００４６】
そして、載置台カバー２１が開けられることなく、ユーザによってスタートキーが押下される等、入力受付部８１を介して複写実行指示が受け付けられると、図示しない読取制御部が原稿Ｍの画像読み取りを実行するように読取部３を制御すると共に、画像形成制御部１４はこの読み取られた画像に基づいて印刷を実行するように画像形成部４を制御する（Ｓ４でＮｏ→Ｓ７でＹｅｓ→Ｓ８）。すなわち、この取得された原稿サイズが、読取部３による画像読取の範囲を決定し、さらに搬送部４２が用紙収容部４１内の用紙のうち、どの用紙を用いるかが決定される。
【００４７】
一方、原稿サイズ取得後に載置台カバー２１が開けられたことをカバー開センサ６が検知すると、原稿サイズ表示制御部１２は、原稿サイズ取得部１１が原稿サイズとして取得した定形用紙サイズを、原稿サイズ表示部５０に表示させる（Ｓ４でＹｅｓ→Ｓ５）。
【００４８】
このとき、例えば、定形外の原稿Ｍが載置板２上に図７に示すように載せられ、原稿サイズ取得部１１が原稿ＭのサイズがＡ４であると認識したとする。すると、ステップＳ５にて、光源５０、５Ｘ４、及び５Ｙ４が点灯される。図７及び後述の図８中、点灯中の光源５は黒丸で、消灯中の光源５は白丸で示される。
【００４９】
ユーザは、図７の表示を確認して、複写機１によって認識されたサイズ（図７で表示されたサイズ）が適当でないと思えば、載置板２上の原稿Ｍの位置や配置角度を変えることができる。ここで図７に一点差線で示すように原稿Ｍが配置しなおされたとする。
【００５０】
載置台カバー２１を開けて、原稿サイズ表示部５０によるサイズ表示を確認した後、ユーザが載置台カバー２１を閉じると、再びステップＳ２に戻り、原稿サイズの取得及び表示が実行される（Ｓ６でＹｅｓ→Ｓ４）。ユーザが原稿Ｍの配置を変えたときには、ステップＳ２で取得される原稿サイズが、配置が変えられる前のサイズとは異なることもありえる。本例では原稿サイズとしてＢ５サイズが新たに取得されたとする。
【００５１】
ここで再び載置台カバー２１が開けられると、図８に示すように、新たに取得されたサイズであるＢ５サイズが表示される（Ｓ４でＹｅｓ→Ｓ５）。
【００５２】
その後、載置台カバー２１が閉じられ、さらに開けられることなくスタートキーが押下されると、上述したとおり、新たに取得されたサイズに基づいた印刷が実行される（Ｓ６→Ｓ２→Ｓ３→Ｓ４でＮｏ→Ｓ７でＹｅｓ→Ｓ８）。
【００５３】
上述したように、原稿サイズ取得部１１によって取得されたサイズは、用紙サイズ等を決定付けるものである。従って、ユーザにとっては、自身が意図する複写物が得られるようなサイズとして、原稿が複写機１に認識されているのかどうか、気になるものである。しかし、液晶表示装置８２における表示だけでは、ユーザにとって、原稿がどのようなサイズとして複写機１に認識されかを具体的に把握することは難しい。しかし、図７に示すように光源５が点灯することで、ユーザは、複写機１が認識しているサイズの輪郭を載置板２の載置面上で具体的に確認することができる。さらに、ユーザが載置面上の原稿Ｍの形状と認識されたサイズの形状とを、載置面上で比較することが可能となる。それゆえ、得られる複写物の大きさは適切か、又は画像が切れずに全体が複写されるか等を、ユーザは容易に確認することができる。
【００５４】
なお、カバー開センサ６に代えて、カバー２１が閉じているときに検知信号を出力するようなカバー閉センサを設けてもよい。このようにカバー閉センサを設ける場合は、原稿サイズ表示制御部は、カバー閉センサからの出力がなくなった時点で、原稿サイズ表示部に原稿サイズを表示させるようになっていればよい。
【００５５】
以上の実施形態では、光源５は載置板２上でいわば点を表示するものとしたが、これに限定されず、一方向に長い形状の光源を光源５に代えて用いることもできる。この場合は、例えば図３に示す二点鎖線に光源の長手方向が沿うように配置すればよい。さらに、この光源の長手方向の長さを定形用紙サイズの辺と同じ長さにすれば、上述の実施形態の光源５と同様に、副走査方向及び主走査方向において、定形用紙サイズの大きさをユーザに示すことができる。
【００５６】
以上、異なる欄に記載した各事項は適宜組合せて利用することが可能であり、このように組み合わせて得られた技術的範囲についても、本発明の範囲に含まれることはいうまでもない。
【図面の簡単な説明】
【００５７】
【図１】本発明の実施の一形態である複写機１の要部構成を示す正面図。
【図２】上記複写機１の読取部３及びその周囲の構成を示す正面図。
【図３】上記読取部３及びその周囲の構成を示す平面図。
【図４】上記複写機１の光源５の配置の一例を示す平面図。
【図５】上記複写機１の要部構成を示す機能ブロック図。
【図６】上記複写機１が自動用紙決定モードにおいて実行する複写動作のフローを示すフローチャート。
【図７】上記複写機１による原稿サイズ表示の一例を示す平面図。
【図８】上記複写機１による原稿サイズ表示の一例を示す平面図。
【符号の説明】
【００５８】
１    複写機（画像形成装置）
２    載置板
３    読取部
４    画像形成部
５    光源
５０  原稿サイズ表示部（検知サイズ表示部）
６    カバー開センサ
７    原稿センサ（原稿サイズ検知部）
１１  原稿サイズ取得部（原稿サイズ検知部）
１２  原稿サイズ表示制御部
Ｍ    原稿
【図１】
2008160605.tif 000003
【図２】
2008160605.tif 000004
【図３】
2008160605.tif 000005
【図４】
2008160605.tif 000006
【図５】
2008160605.tif 000007
【図６】
2008160605.tif 000008
【図７】
2008160605.tif 000009
【図８】
2008160605.tif 000010